(57)【要約】      （修正有）【課題】組み立てと分解が可能であり、チーム全体の用具を一括して収納でき、試合中の用具の管理はもとよりチームが移動する際にも便利なバットおよびボールの一括収納ケースを提供する。【解決手段】脚１３とキャスター１４が付いた底板１の周辺にバット１７を突き込む導入パイプ４を均等な間隔で配置し、直立する導入パイプを底板と中板１１で挟む。底板と中板の周辺には、均等な間隔で導入パイプとの嵌合溝をそれぞれに刻み、導入パイプが横ズレしない構造とする。さらに、天板１２にはバットの握り部分が当たるように凹型の窪みを設ける。また、天板、中板、底板の中央に、ボール１８が貫通できる丸い開口穴５を設け、その周囲に４本の長尺の組み立てボルト８を設けて収納ケース全体を定着し一体化する。【選択図】図１
0003198499.tif 000002
【実用新案登録請求の範囲】
【請求項１】
移動用のキャスターを備えた複数のバットとボールを一括できる収納ケース。
【請求項２】
組み立てと分解が可能な構造を有する複数のバットとボールの一括収納ケース。
【考案の詳細な説明】
【技術分野】
【０００１】  本考案は、ベースボールおよびソフトボールの競技において、チームが使用するバットとボールを一括して収納できる収納ケースに関するものである。
【考案の開示】
【考案が解決しようとする課題】
【０００２】  通常、ベースボールおよびソフトボールの競技において、チームとしてバットおよびボールは相当数の用具を必要とする。【０００３】  なかでも、試合中および移動と管理にあたっては多くのボールおよびバットが散乱し、整然とした練習や試合については格段の注意を要するものである。【０００４】  しかも、試合中でもボールおよびバットはときにより所在不明となって練習や試合にあたって不便をきたすことがあり、一方では選手自身が散乱した用具につまずいて転倒し負傷するなどの不祥事も発生することがある。【０００５】  また、試合をするためのチームの移動にあたっては、これらの用具を所定のケースで一括して運搬すれば選手自身およびチームにおいて纏まった身辺整理ができる。【０００６】  従って、これらはチームごとの複数のボールおよびバットを収納ケースなどで一括管理することが望ましく、練習や試合において士気を高め負傷などのアクシデントの予防も大切であり、とくに少年チームにおいては、これらの用具を用いて適切に整理整頓できることが道徳教育的な効果を生むものである。
【課題を解決するための手段】
【０００７】  本考案は、課題を解決するため比較的に軽量で強靭な金属およびプラスチック等をもって作製し、ボールとバットの適切な管理のできる一括収納ケースを提供する。【０００８】  本考案の収納ケースは、収納したボールやバット等の取り出し自由な形態を基本とし、しかもコンパクトに纏まるように考案した。【０００９】  しかも、各部品を整え組み立てと分解が容易にできる工夫も施し、使用時の本体の大きさはバットとボールを収納した状態で乗用車のトランクに搭載できる範囲のものとし、使用しない普段は分解してコンパクトに保管ができることとした。【００１０】  本考案のバットとボールの一括収納ケースは、チームを編成する選手の数を勘案して、バットは８本、ボールは練習に足る数量を収納できることとした。ただし、製作にあたっては、形状を少し変更することで収納量を増やすことも可能である。【００１１】  また、本考案の収納ケースは底部の脚構造とキャスターで全体を支える機能を有し、ベンチなどで直立または傾斜させて使用できる仕組みとする。【００１２】  さらに、本考案の収納ケースは、ボールとバットを収納した状態で移動を容易にするため底部にキャスターを備えて運搬できることとする。
【考案の効果】
【００１２】  本考案は、野球およびソフトボール競技において、チーム全体の用具を一括し収納できるので用具の管理に著しい利便性を生じることになる。【００１３】  また、本考案のバットとボールの一括収納ケースは、試合中の用具の管理はもとよりチームが移動する際に非常に便利であり、一方では暗黙のうちに選手に競技用具の整理整頓の習慣をもたらすものとなる。【００１４】  本考案のバットとボールの一括収納ケースは、試合や練習中に無くした用具の点検が容易となり、他のチームから混じってきた用具などの弁別や球場内での置き忘れによる紛失なども一目瞭然となる。【００１５】  本考案の収納用具は、組み立て分解が容易であるから、部材ごとに分解してすべての部品を１個の箱に収納することができ、非使用時の保管が簡潔である。
【考案を実施するための最良の状態】
【００１６】  本考案の収納用具は、脚が付いた底板の周辺にバットを突き込む導入パイプを均等な間隔で配置し、直立する導入パイプを底板と中板で挟む格好で基礎を組み立てる。
【００１７】  この底板と中板の周辺には、均等な間隔で導入パイプとの嵌合溝がそれぞれに刻まれていて、導入パイプが横ズレしない構造とする。
【００１８】  さらに、天板にはバットの握り部分が当たるように凹型の窪み部分を設ける。この場合、ケースごと移動する際にバットが脱落しないように簡単なストッパーをそれぞれの窪み部分の口前に取り付けることも移動時用として考えられる。
【００１９】  一方、天板、中板、底板の中央にはボールが楽に貫通できる丸い開口穴が設けられており、その周囲には４本の組み立てボルトが貫通できる小穴を開け、それぞれに長尺の組み立てボルトを貫通させ両端のナットを締めて収納ケース全体を定着し一体化する。
【００２０】  この場合、本考案の組み立ての際は、底板、中板、天板を等間隔に定着させて一体化するが、組み立て用ボルト４本はボールを導入する各シールドパイプで被覆して強力にナットで締め付けることとなり収納ケースの各部材を定着させて成形する。
【００２１】  また、底板の中央の開口穴には、シールドパイプに導かれて落下したボールを横方向に転げ出させる役目をするためのエルボを取り付け、操作自在なストッパーを添設する。
【実施例】
【００２２】  以下、本考案による実施例を図面に基づいて説明する。【００２３】  本考案のバットとボールの収納ケースは、規模を大きくして収納するバットとボールの数を増やすことができるが、本例ではバットとボールの収納できる数量を、ベースボール用ではバット８本とボール１２〜３個、ソフトボール用においてはバット８本とボール９個の収容能力の収納ケースについて限定して説明する。【００２４】  本考案のバットとボールの一括収納ケース（以下収納ケース）は、図１に示すような形状と部位で構成し、以下、組み立て方法を含めて説明する。【００２５】  本考案の収納ケースの底板１の上面の形状は２図に示すようなものであり、外周に添って８カ所のバット導入パイプ４を嵌合するため円形の嵌合溝２が刻まれている。【００２６】  しかも、底板１の裏面には、収納ケースの架台３を設けてあり直立で使用する際の架台となり、２個の脚構造１３とキャスター構造１４を添設する。【００２７】  本考案の収納ケースは、８本のバット導入パイプ４の両端を底板１の嵌合溝２と中板１の嵌合溝２にそれぞれ嵌合して組み立てることになる。【００２８】  ただし、このバット導入パイプ４の断面は、円形でありバット１７が十分に余裕をもって出し入れできる直径とする。【００２９】  図２における底板１の中央の円形のボール通過穴５は収納しているボール１８を横方向に排出する図１に示すボール排出エルボ６を下方から取り付けてある。この排出エルボ６にはボールシャッター７を設け、任意に動かせるボールシャッター７を操作することによってボール通過穴５を降下するボール１８を排出できる。【００３０】  ボール通過穴５を取り囲む４個の穴１０には４本の組み立て用ボルト８を貫通させる。【００３１】  シールドパイプ９は、４本の組み立てボルト８を被覆して卷装し、天板１１から投入し収納するボール１８を導き、天板１１と中板１２および底板１の間隔を保持するセパレートとなり、組み立て用ボルト８を締め付けて収納ケースを形成したときに、これらを等間隔に固着できる。【００３２】  つぎに、中板１２は図３に示す如く、図２の底板１と全く同型であり、嵌合溝２と嵌合溝２はバット導入パイプ４の両端に向き合わせて導入パイプ４に挟着する。【００３３】  図４は、収納ケースの天板１２の形状であり、シールドパイプ９を介して収納ケースの最上部となる。中心部に前例と同じくボール１８の通過穴５を開け、ボール１８の通過穴５を取り巻くように組み立てボルト８を貫通させる穴１０を４カ所設けてある。【００３４】  さらに、図４の如く天板１１には、収納したバット１７の握り部分を保持できる凹型の窪み部分１５を８カ所設ける。従って前記のバット導入パイプ４に挿入したバット１７の握り部分を受け止めて保持できる形状とする。【００３５】  また、天板１１の中央には、さきの中板１１と底板１と同じくボールの通過穴５を開口し、収納ケースの上部から収納するボールを連続して投入できることになる。【００３６】  収納ケースのボールの通過穴５に投入したボール１８は、４本のシールドパイプに導かれ底板１に向かって落下し、底部のボールシャッター７で保持されることになる。【００３７】  収納ケースの天板１１には、収納���ースの移動時に把握できる取っ手１５を設け、収納ケースを移動する際には底板に付属するキャスター１４が利用できるように取っ手１５を持って収納ケースを片側に傾斜させて移動できる。【００３８】  要するに、収納ケースは底板１に連なる各部材を一体化するように４本の長尺の組み立て用ボルト８を天板１１、中板１２、底板１に貫通させて固着することになる。
【産業上の利用可能性】
【００３８】  本考案のボールとバットの一括収納ケースは、ベースボールとソフトボールの競技において、チームを纏めて用具を管理するうえでも必要な収納ケースである。【００３９】  本考案のボールとバットの一括収納ケースは、チームの遠征試合においても、全体の移動手段としてチームの道具を纏めることが好ましく、必要不可欠な手段である。【００４０】  本考案のボールとバットの一括収納ケースは、一般の素材を用いて製作が容易であるため生産性に優れており、利用可能性に富んでいて球技に適しており抜群の普及性がある。【００４１】  ベースボールやソフトボールの競技において、本考案の収納ケースは利便性を有し、健全な球技において使用するバットとボールの一括収納ケースは非常に有益である。
【図面の簡単な説明】
【００４２】
【図１】本考案の収納ケース全体の形状を表わす斜視図。
【図２】本考案の収納ケースを構成する底板部分上面の形状を説明する見取図。
【図３】本考案の収納ケースを構成する中板部分裏面の形状を説明する見取図。
【図４】本考案の収納ケースを構成する天板部分上面の形状を説明する見取図。
【符号の説明】
【００４３】    １．収納ケースの底板。
２．底板に刻まれたバット導入パイプと咬合する円形の嵌合溝。
３．底板に取り付けた架台。
４．収納するバットの導入パイプ。
５．収納するボールの通過穴。
６．収納したボールの排出エルボ。
７．排出エルボに付属するボールシャッター。
８．収納ケースの組み立て用ボルト。
９．組み立て用ボルトのシールドパイプ。
１０．組み立て用ボルトを貫通させる穴。
１１．収納ケースの中板。                    １２．収納ケースの天板。
１３．脚構造。                              １４．キャスター構造。
１５．収納したバットの握り部分を保持する凹型の切り込み。
１６．収納ケースの天板に添設した取っ手。
１７．バット。
１８．ボール。
【図１】
0003198499.tif 000003
【図２】
0003198499.tif 000004
【図３】
0003198499.tif 000005
【図４】
0003198499.tif 000006
【手続補正書】
【提出日】平成27年4月13日(2015.4.13)
【手続補正１】
【補正対象書類名】実用新案登録請求の範囲
【補正対象項目名】全文
【補正方法】変更
【補正の内容】
【実用新案登録請求の範囲】
【請求項１】
複数のバットをケースの周囲に垂直並びとし中心部分に複数のボールを縦方向に連続して投入し収納できる構造を有しケースの底部に移動用のキャスターを備えたチーム全体のバットおよびボールを一括して保管する収納ケース。
【請求項２】
組み立てと分解が可能であり複数のバットとボールが収納できることを特徴とする請求項１記載の一括収納ケース。